(57)【要約】【課題】注出具から収容物が勢いよく出るのを抑えるノズルを提供する。【解決手段】筒状に形成され一方の端部を封止する収容部が設けられた注出具の他方の端部に取付けられるノズル４０であって、筒状に形成された整流調整部５０と、一方の面６１ａが整流調整部の端部を覆うように整流調整部に連なるとともに整流調整部の筒孔５４に連通する貫通孔６１ｃが形成され、他方の面６１ｂが注出具の他方の端部の端面に接触可能な当て板６１、及び貫通孔から離間した位置に設けられ、整流調整部の軸線Ｃ方向に見たときに貫通孔を覆う庇部６２を有する押圧調整部６０と、筒状に形成され注出具の他方の端部の端面に当て板を接触させたときに注出具の他方の端部が挿通されるとともに注出具に係合する係合部８０とを備え、整流調整部の軸線方向に見たときに、貫通孔は注出具の他方の端部の端面に接触した当て板の注出具の他方の端部の内周面内に形成されている。【選択図】図２
2015171897.tif 000002
【特許請求の範囲】
【請求項１】
筒状に形成され一方の端部を封止する収容部が設けられた注出具の他方の端部に取付けられるノズルであって、
筒状に形成された整流調整部と、
一方の面が前記整流調整部の端部を覆うように前記整流調整部に連なるとともに前記整流調整部の筒孔に連通する貫通孔が形成され、他方の面が前記注出具の他方の端部の端面に接触可能な当て板、及び、前記貫通孔から離間した位置に設けられ、前記整流調整部の軸線方向に見たときに前記貫通孔の全体を覆う庇部を有する押圧調整部と、
筒状に形成され、前記注出具の他方の端部の端面に前記当て板を接触させたときに前記注出具の他方の端部が挿通されるとともに前記注出具に対して前記軸線方向に係合する係合部と、
を備え、
前記整流調整部の軸線方向に見たときに、前記貫通孔は前記注出具の他方の端部の端面に接触した前記当て板の前記注出具の他方の端部の内周面内に形成されていることを特徴とするノズル。
【請求項２】
前記庇部は、前記貫通孔の前記整流調整部側に設けられ、
前記押圧調整部は、前記当て板の前記貫通孔の縁部と前記庇部の縁部とにそれぞれ連なる連結部を有し、
前記整流調整部の軸線に平行な基準面による断面において、
前記連結部の前記貫通孔側の面は、前記整流調整部の軸線に沿うように形成され、
前記庇部の前記貫通孔側の面は、前記整流調整部側に向かうにしたがって前記連結部から離間するように傾斜していることを特徴とする請求項１に記載のノズル。
【請求項３】
前記庇部は、前記貫通孔の前記整流調整部側に設けられ、
前記押圧調整部は、前記当て板の前記貫通孔の縁部と前記庇部の縁部とにそれぞれ連なる連結部を有し、
前記整流調整部の軸線に平行な基準面による断面において、
前記連結部の前記貫通孔側の面は、前記整流調整部の軸線に沿うように形成され、
前記庇部の前記貫通孔側の面は、前記貫通孔とは反対側に向かって凸となる曲面状に形成されていることを特徴とする請求項１に記載のノズル。
【請求項４】
前記連結部は、
互いに対向する一対の連結対向部と、
一対の前記連結対向部が対向する対向方向及び前記軸線方向にそれぞれ直交する直交方向において、それぞれの前記連結対向部の一方側の端部に連なる連結接続部と、
を有することを特徴とする請求項２または３に記載のノズル。
【請求項５】
前記庇部は、前記軸線に直交する主面を有する板状に形成されて、前記貫通孔の前記整流調整部とは反対側に設けられていることを特徴とする請求項１に記載のノズル。
【請求項６】
前記庇部は、前記貫通孔の前記整流調整部とは反対側に設けられ、
前記押圧調整部は、前記軸線方向に延びるように形成され、前記貫通孔の縁部から離間した状態で前記貫通孔を挿通するとともに前記庇部に連なる軸状部を有することを特徴とする請求項１に記載のノズル。
【請求項７】
前記押圧調整部は、前記庇部の前記整流調整部側に設けられた抵抗増大部を有し、
前記抵抗増大部は、
前記軸線方向に互いに離間した状態に配置された複数の仕切り板と、
前記軸線方向に隣り合う前記仕切り板の縁部同士を接続する接続部材と、
を有することを特徴とする請求項１に記載のノズル。
【請求項８】
前記庇部の前記貫通孔側の面と前記整流調整部の筒孔の内周面との前記軸線方向に直交する方向の距離よりも、前記庇部の前記貫通孔側の面と前記整流調整部の前記当て板とは反対側の端との前記軸線方向の距離の方が長いことを特徴とする請求項１から７のいずれか一項に記載のノズル。
【請求項９】
請求項１に記載のノズルと、
前記収容部が設けられた前記注出具と、
を備えることを特徴とするノズル付き容器。
【発明の詳細な説明】
【技術分野】
【０００１】
本発明は、注出具に取付けて使用されるノズル、及びこのノズルを備えるノズル付き容器に関する。
【背景技術】
【０００２】
従来、筒状に形成された注出具の一方の端部を収容部で封止した容器が用いられている。この種の容器としては、特許文献１に記載されたものが知られている。
容器は、開口部が設けられた収容部と、この開口部に配された注出具とを備えている。収容部は、少なくとも基材層とバリア層と熱接着性樹脂層とを含むフィルム状の積層体で構成されている。収容部は、最内層の熱接着性樹脂層を対向させて所定幅で縁部の熱接着部を熱接着することにより、内容物を収容する収納空間が形成される。
注出具は、上面に注出口が開口する筒状に形成されている。注出具の内周面には、雌ネジ部が設けられている。注出具には、外周面に雄ネジ部が設けられた蓋体を取付けることができる。注出具の雌ネジ部に蓋体の雄ネジ部を螺合させることで、注出具の上面を塞ぐことができる。
【０００３】
このように構成された容器を使用するときには、注出具から蓋体を取外しておき、手等で収容部を押して変形させることで収容部内の収容物が注出具内を通して外部に注出される。
【先行技術文献】
【特許文献】
【０００４】
【特許文献１】特開２０１３−５２９０８号公報
【発明の概要】
【発明が解決しようとする課題】
【０００５】
しかしながら、特許文献１に記載された容器では、収容部を押す力が強くなるのにしたがって注出具から収容物が出る勢いが強くなる。収容物が出る勢いが強いと、本来、収容物を注ぎたい対象物から収容物が逸れやすくなったり収容物がはねたりする恐れがある。
収容部が、手等で押すことなく大気圧で変形する材料で形成されている場合には、容器を注出具が下方となるように傾けるだけでも収容物が出る。収容物の粘度が小さく流動性が高いと収容物はさらに強い勢いで出てしまう。
【０００６】
本発明は、このような問題点に鑑みてなされたものであって、注出具に取付けて使用することで注出具から収容物が勢いよく出るのを抑えるノズル、及びこのノズルを備えるノズル付き容器を提供することを目的とする。
【課題を解決するための手段】
【０００７】
上記課題を解決するために、この発明は以下の手段を提案している。
本発明のノズルは、筒状に形成され一方の端部を封止する収容部が設けられた注出具の他方の端部に取付けられるノズルであって、筒状に形成された整流調整部と、一方の面が前記整流調整部の端部を覆うように前記整流調整部に連なるとともに前記整流調整部の筒孔に連通する貫通孔が形成され、他方の面が前記注出具の他方の端部の端面に接触可能な当て板、及び、前記貫通孔から離間した位置に設けられ、前記整流調整部の軸線方向に見たときに前記貫通孔の全体を覆う庇部を有する押圧調整部と、筒状に形成され、前記注出具の他方の端部の端面に前記当て板を接触させたときに前記注出具の他方の端部が挿通されるとともに前記注出具に対して前記軸線方向に係合する係合部と、を備え、前記整流調整部の軸線方向に見たときに、前記貫通孔は前記注出具の他方の端部の端面に接触した前記当て板の前記注出具の他方の端部の内周面内に形成されていることを特徴としている。
【０００８】
また、上記のノズルにおいて、前記庇部は、前記貫通孔の前記整流調整部側に設けられ、前記押圧調整部は、前記当て板の前記貫通孔の縁部と前記庇部とにそれぞれ連なる連結部を有し、前記整流調整部の軸線に平行な基準面による断面において、前記連結部の前記貫通孔側の面は、前記整流調整部の軸線に平行に形成され、前記庇部の前記貫通孔側の面は、前記整流調整部側に向かうにしたがって前記連結部から離間するように傾斜していることがより好ましい。
また、上記のノズルにおいて、前記庇部は、前記貫通孔の前記整流調整部側に設けられ、前記押圧調整部は、前記当て板の前記貫通孔の縁部と前記庇部の縁部とにそれぞれ連なる連結部を有し、前記整流調整部の軸線に平行な基準面による断面において、前記連結部の前記貫通孔側の面は、前記整流調整部の軸線に沿うように形成され、前記庇部の前記貫通孔側の面は、前記貫通孔とは反対側に向かって凸となる曲面状に形成されていることがより好ましい。
【０００９】
また、上記のノズルにおいて、前記連結部は、互いに対向する一対の連結対向部と、一対の前記連結対向部が対向する対向方向及び前記軸線方向にそれぞれ直交する直交方向において、それぞれの前記連結対向部の一方側の端部に連なる連結接続部と、を有することがより好ましい。
また、上記のノズルにおいて、前記庇部は、前記軸線に直交する主面を有する板状に形成されて、前記貫通孔の前記整流調整部とは反対側に設けられていることがより好ましい。
また、上記のノズルにおいて、前記庇部は、前記貫通孔の前記整流調整部とは反対側に設けられ、前記押圧調整部は、前記軸線方向に延びるように形成され、前記貫通孔の縁部から離間した状態で前記貫通孔を挿通するとともに前記庇部に連なる軸状部を有することがより好ましい。
【００１０】
また、上記のノズルにおいて、前記押圧調整部は、前記庇部の前記整流調整部側に設けられた抵抗増大部を有し、前記抵抗増大部は、前記軸線方向に互いに離間した状態に配置された複数の仕切り板と、前記軸線方向に隣り合う前記仕切り板の縁部同士を接続する接続部材と、を有することがより好ましい。
また、上記のノズルにおいて、前記庇部の前記貫通孔側の面と前記整流調整部の筒孔の内周面との前記軸線方向に直交する方向の距離よりも、前記庇部の前記貫通孔側の面と前記整流調整部の前記当て板とは反対側の端との前記軸線方向の距離の方が長いことがより好ましい。
また、本発明のノズル付き容器は、上記に記載のノズルと、前記収容部が設けられた前記注出具と、を備えることを特徴としている。
【発明の効果】
【００１１】
本発明のノズルによれば、注出具に取付けて使用することで注出具から収容物が勢いよく出るのを抑えることができる。また、本発明のノズル付き容器によれば、注出具から収容物が勢いよく出るのを抑えることができる。
【図面の簡単な説明】
【００１２】
【図１】本発明の第１実施形態のノズル付き容器の一部を破断した説明図である。
【図２】同ノズル付き容器のノズルの側面の断面図である。
【図３】同ノズルの平面図である。
【図４】同ノズルの押圧調整部の斜視図である。
【図５】同押圧調整部の一部を破断した平面図である。
【図６】同ノズル付き容器の作用を説明する断面図である。
【図７】本発明の第１実施形態の変形例におけるノズルの側面の断面図である。
【図８】同ノズルの押圧調整部の斜視図である。
【図９】本発明の第２実施形態のノズル付き容器における先端側の側面の断面図である。
【図１０】同ノズル付き容器のノズルにおける押圧調整部の側面の断面図である。
【図１１】同押圧調整部の斜視図である。
【図１２】同押圧調整部の平面図である。
【図１３】同ノズル付き容器の作用を説明する断面図である。
【図１４】本発明の第２実施形態の変形例におけるノズルの側面の断面図である。
【図１５】本発明の第３実施形態のノズル付き容器における先端側の側面の断面図である。
【図１６】同ノズル付き容器のノズルにおける押圧調整部の側面の断面図である。
【図１７】同押圧調整部の斜視図である。
【図１８】同押圧調整部の平面図である。
【図１９】同ノズル付き容器の作用を説明する断面図である。
【図２０】本発明の第４実施形態のノズル付き容器における先端側の側面の断面図である。
【図２１】同ノズル付き容器のノズルにおける押圧調整部の側面の断面図である。
【図２２】同押圧調整部の斜視図である。
【図２３】同押圧調整部の斜視図である。
【図２４】同ノズル付き容器の作用を説明する断面図である。
【発明を実施するための形態】
【００１３】
（第１実施形態）
以下、本発明に係るノズル付き容器の第１実施形態を、図１から図８を参照しながら説明する。
図１に示すように、本実施形態のノズル付き容器１は、容器１０と、容器１０に取付けられる本発明のノズル４０とを備えている。
容器１０は、公知の構成のものであり、注出具２０と、注出具２０の一方の端部２１を封止する収容部３０とを有している。なお、説明の便宜上、収容部３０を二点鎖線で示している。
【００１４】
注出具２０は、円筒状に形成された注出具本体２３の外周面における長手方向の中間部に複数のフランジ２４が設けられて構成されている。
注出具本体２３の外周面における一方の端部２１には、径方向外側に突出した一対の突出部２５が設けられている。一対の突出部２５は、注出具本体２３の一方の端部２１を挟むように設けられている。注出具本体２３の一方の端部２１及び一対の突出部２５の全体としての形状が、突出部２５が突出する方向を長軸とする扁平した形状となることで、注出具２０に収容部３０が取付けやすくなっている。
注出具本体２３の外周面における注出具２０の他方の端部２２側には、注出具本体２３の軸線周りにネジ山２６が形成されている。注出具本体２３の他方の端部２２側及びネジ山２６で雄ネジ部２７を構成している。
注出具本体２３、複数のフランジ２４、一対の突出部２５、及びネジ山２６は、ポリプロピレン等の樹脂で一体的に形成されている。
【００１５】
収容部３０は、図示はしないが、ＰＥＴ（ポリエチレンテレフタレート）フィルム等で形成された基材層と、アルミニウム箔等で形成されたバリア層と、ポリオレフィン樹脂等で形成された熱融着層とを積層させた積層フィルムを袋状に形成して構成されている。積層フィルムは、所定の形状に切断されるとともに熱融着層が内側となるように折返され、加圧した状態で熱融着することで熱融着層が一時的に溶けて縁部が封止されている。これにより、収容部３０にはマチ３１が設けられ、底面３２が形成されている。
この例では、収容部３０はパウチと呼ばれる軟性のものであり、収容部３０内には液状の飲料や調味料等の収容物を収容することができる。
収容部３０の上部の不図示の開口に注出具２０の一方の端部２１を挿入し、加圧・熱融着することで、注出具２０の一方の端部２１が収容部３０で封止され容器１０が構成される。
収容部３０は、手等で押さなくても大気圧や自重により変形できる。また、袋状に形成されることで収容部３０が一定の剛性を有していて、収容物を収容した容器１０を底面３２が下方になるようにしてテーブル等の上に置くと、収容部３０の上方に注出具２０が配置された状態で安定的に立たせることができる。
【００１６】
ノズル４０は、図２及び図３に示すように、円筒状に形成された整流調整部５０と、整流調整部５０の第一の端部（端部）５１に設けられた押圧調整部６０及び係合部８０を備えている。この例では、ノズル４０は、整流調整部５０及び係合部８０で構成されるノズル本体９０に押圧調整部６０を溶着等により接合することで構成されている。
整流調整部５０は、第一の端部５１から第二の端部５２に向かうにしたがって縮径するように形成されている。以下では、第一の端部５１に対する第二の端部５２側を先端側、第二の端部５２に対する第一の端部５１側を基端側とそれぞれ称する。
押圧調整部６０は、図２及び図４に示すように、一方の面６１ａが整流調整部５０の第一の端部５１を覆うように整流調整部５０に連なるとともに貫通孔６１ｃが形成された当て板６１、貫通孔６１ｃから離間した位置に設けられた誘導天部（庇部）６２、及び、当て板６１の貫通孔６１ｃの縁部と誘導天部６２の縁部とにそれぞれ連なる連結部６３を有している。
【００１７】
当て板６１は円板状に形成され、一方の面６１ａが整流調整部５０の軸線Ｃに直交するように配置されている。
貫通孔６１ｃは、図４及び図５に示すように当て板６１の一方の面６１ａの中央部に形成され、当て板６１を軸線Ｃ方向に貫通している。この例では軸線Ｃ方向に見た図５に示す平面視において、貫通孔６１ｃは半円形状である。
図２に示すように、貫通孔６１ｃの内径は、整流調整部５０の筒孔５４の内径よりも小さい。貫通孔６１ｃは、整流調整部５０の筒孔５４に連通する。
【００１８】
図２及び図４に示すように、当て板６１の一方の面６１ａの縁部には、一方の面６１ａから立設する環状の第一の壁部６６が設けられている。当て板６１の他方の面６１ｂには、他方の面６１ｂから立設する環状の第二の壁部６７が設けられている。第二の壁部６７の外径は、第一の壁部６６の外径よりも小さい。第一の壁部６６、第二の壁部６７は、整流調整部５０の軸線Ｃと同軸、かつ軸線Ｃ方向に位置をずらして形成されている。
第一の壁部６６の内径は、整流調整部５０の第一の端部５１の外径よりもわずかに大きい。第二の壁部６７の外径は、注出具２０の他方の端部２２の内径よりもわずかに小さい。
当て板６１の他方の面６１ｂにおいて、貫通孔６１ｃの開口と第二の壁部６７との間には開口の周りのいずれの位置においても他方の面６１ｂが設けられている。すなわち、貫通孔６１ｃの開口は他方の面６１ｂに囲われている。
図１に示すように、当て板６１の他方の面６１ｂは、注出具２０の他方の端部２２の端面に接触可能である。
図５に示す軸線Ｃ方向に見たときに、貫通孔６１ｃは注出具２０の他方の端部２２の端面に接触した当て板６１における、注出具２０の他方の端部２２の内周面２２ａ内に形成されている。
【００１９】
連結部６３は、図４及び図５に示すように、互いに対向する一対の連結対向部６８と、それぞれの連結対向部６８の端部に連なる連結接続部６９とを有している。
図５に示すように、それぞれの連結対向部６８、連結接続部６９の貫通孔６１ｃ側の面６８ａ、６９ａは、整流調整部５０の軸線Ｃに沿うように形成されている。
一対の連結対向部６８が対向する対向方向Ｘ及び軸線Ｃ方向にそれぞれ直交する方向を直交方向Ｙとしたときに、連結接続部６９はそれぞれの連結対向部６８の直交方向Ｙの一方側Ｙ１の端部に連なっている。連結部６３の軸線Ｃに直交する平面による断面形状は、全体として中心角が１８０°の円弧であるＣ字状に形成され、直交方向Ｙの他方側Ｙ２が開口している。連結部６３は、軸線Ｃ方向に延びる半円筒状に形成されている。
【００２０】
図２に示すように、誘導天部６２は貫通孔６１ｃの整流調整部５０側に設けられている。連結接続部６９を通り軸線Ｃに平行な基準面Ｓによる断面において、誘導天部６２の貫通孔６１ｃ側の面６２ａは、整流調整部５０側すなわち先端側に向かうにしたがって連結接続部６９から離間するように傾斜している。この例では、誘導天部６２は球面を軸線周りに４等分した形状に形成され、誘導天部６２の面６２ａの基準面Ｓによる断面は中心角が９０°の円弧である。誘導天部６２は、直交方向Ｙの他方側Ｙ２、及び、基端側がそれぞれ開口している。
図５に示す軸線Ｃ方向に見たときに、誘導天部６２は貫通孔６１ｃの全体を覆っている。
当て板６１、誘導天部６２、連結部６３、第一の壁部６６、及び第二の壁部６７を備える押圧調整部６０は、ポリプロピレン等の樹脂で一体的に形成されている。
図２に示すように、誘導天部６２及び連結部６３の直交方向Ｙの他方側Ｙ２の開口と貫通孔６１ｃとを結ぶ線Ｍは、整流調整部５０の軸線Ｃに一致しない。
【００２１】
係合部８０は、円筒状に形成された係合部本体８１と、係合部本体８１の内周面の端部に設けられたフランジ８２とを有している。係合部本体８１の内径は、注出具２０の注出具本体２３の外径よりも大きい。係合部本体８１の内周面には、注出具２０の雄ネジ部２７に螺合する雌ネジ部８３が形成されている。
図１に示すように、係合部８０に注出具２０の他方の端部２２を挿通し、注出具２０の雄ネジ部２７に係合部８０の雌ネジ部８３を螺合させて注出具２０に対して係合部８０を軸線Ｃ方向に係合させたときに、注出具２０の他方の端部２２の端面に当て板６１が接触する。
係合部８０は、フランジ８２の内周面が整流調整部５０の第一の端部５１側の外周面に固定されることで整流調整部５０と一体になっている。
整流調整部５０及び係合部８０を備えるノズル本体９０は、ポリプロピレン等の樹脂で一体的に形成されている。
【００２２】
図２に示すように、ノズル本体９０に押圧調整部６０を接合したときに、連結部６３及び誘導天部６２は整流調整部５０の筒孔５４内に配置される。連結部６３及び誘導天部６２の直交方向Ｙの他方側Ｙ２の開口は、筒孔５４の内周面から離間している。
基準面Ｓによる断面において、誘導天部６２の面６２ａと整流調整部５０の筒孔５４の内周面との直交方向Ｙの他方側Ｙ２の距離Ｌ１よりも、誘導天部６２の面６２ａと整流調整部の当て板６１とは反対側の端との軸線Ｃ方向の距離Ｌ２の方が長いことが好ましい。
【００２３】
このように構成されたノズル付き容器１は、前述のように容器１０の注出具２０にノズル４０を螺合させたりこの螺合を解除させたりすることで、容器１０にノズル４０を着脱させることができる。
容器１０にノズル４０を取付けたときには、注出具２０の他方の端部２２は、係合部８０の係合部本体８１と押圧調整部６０の第二の壁部６７との間に挟まれる。
ノズル４０が取外されている状態の容器１０には、注出具２０を通して収容部３０内にドレッシング等の収容物が充填される。収容部３０内に収容物を長期間保管する場合には、注出具２０の雄ネジ部２７に図示しないキャップを螺合させることで、注出具２０の他方の端部２２を封止してもよい。
【００２４】
ノズル付き容器１を使用するときには、必要に応じて注出具２０からキャップを取外し、注出具２０にノズル４０を取付け、ノズル付き容器１を底面３２が下方になるように立たせておく。
ノズル付き容器１内の収容物を注出させるときには、図６に示すように注出具２０よりもノズル４０の方が下方となるようにノズル付き容器１を傾ける。
収容部３０は不図示の収容物や自身に作用する重力により変形し、収容物が矢印Ｆ１、Ｆ２に示すように先端側に向かって流れる。収容部３０が変形することで、整流調整部５０の第二の端部５２側から筒孔５４内に空気が流入しなくても、収容物を注出することができる。
矢印Ｆ１のように流れる収容物は、当て板６１の他方の面６１ｂに当たるため先端側に向かって流れることが規制される。言い換えれば、矢印Ｆ１のように流れる収容物の流速が緩和する。矢印Ｆ２のように流れる収容物は、貫通孔６１ｃを通る。すなわち、貫通孔６１ｃが形成された当て板６１により、収容物の流量が抑えられる。
【００２５】
矢印Ｆ２のように流れる収容物は、連結部６３の面６８ａ、６９ａにより軸線Ｃ方向の先端側に案内され、一部が直交方向Ｙの他方側Ｙ２に流れる。連結部６３の面６８ａ、６９ａにより、連結部６３内を流れる収容物が対向方向Ｘや直交方向Ｙの一方側Ｙ１に流れることが防止される。
貫通孔６１ｃを通った収容物の残部は、誘導天部６２の面６２ａにより流れる向きが先端側から直交方向Ｙの他方側Ｙ２に緩やかに変わり、矢印Ｆ３のように流れる。すなわち、貫通孔６１ｃを通った収容物は、整流調整部５０の第二の端部５２側の開口に直接向かわず、流れる向きを軸線Ｃに対して９０°程度傾いた向きに変えられて、押圧調整部６０から流れ出て整流調整部５０の筒孔５４内に入る。
【００２６】
収容物は、筒孔５４の内周面に当たって向きを変え、この内周面に沿って矢印Ｆ４のように、軸線Ｃを軸とする螺線状に流れる。このとき、収容物は筒孔５４の内周面との間で抵抗を受けながら、軸線Ｃに沿って流れるのではなく螺線状に比較的長い距離を流れる。これにより、収容物の流れが整えられ（束ねられ）、整流化されるとともに流速（勢い）が抑えられた状態で整流調整部５０の第二の端部５２側の開口から流れ出る。
前述のように距離Ｌ１よりも距離Ｌ２の方が長いため、筒孔５４内で収容物が軸線Ｃ周りに１回転よりも多く回る。
所望の量の収容物を注出し終えたら、ノズル付き容器１を底面３２が下方になるように立たせておく。
【００２７】
以上説明したように、本実施形態のノズル４０及びノズル付き容器１によれば、押圧調整部６０及び整流調整部５０を備えることで、注出具２０内を先端側に流れる収容物が当て板６１の他方の面６１ｂや誘導天部６２の面６２ａに当たったり、筒孔５４の内周面から抵抗を受けたりすることで、注出具２０から収容物が勢いよく出るのを抑えることができる。収容物が出る勢いが抑えられることで、収容物が先端側に向かって流れる勢いによらず、整流調整部５０から出る収容物の流れ（流線）を一定の形状に近づけることができる。
筒孔５４内で収容物が軸線Ｃ周りに螺線状に流れることで、収容物を整流した状態で注出具２０から出すことができる。
【００２８】
連結部６３の面６８ａ、６９ａは軸線Ｃに沿うように形成されるとともに、誘導天部６２の面６２ａは傾斜している。したがって、貫通孔６１ｃを通って先端側に流れていた収容物の流れる向きを緩やかに直交方向Ｙの他方側Ｙ２に変え、収容物の流れを安定させることができる。
連結部６３が一対の連結対向部６８及び連結接続部６９を有することで、連結部６３内を流れる収容物が対向方向Ｘや直交方向Ｙの一方側Ｙ１に流れることを防止し、収容物の流れの向きを直交方向Ｙの他方側Ｙ２に集中させることができる。
前述の距離Ｌ１よりも距離Ｌ２の方が長いため、整流調整部５０から流れ出る収容物の勢いを抑えるとともに、収容物の流れをより確実に整えることができる。
収容物を注出させるときに、収容部３０に受けた圧力により不用意に収容物が流れ出るのを抑え、抑制した流量と流速で、対象物に収容物を注いだり移し替えたりすることができる。
【００２９】
なお、本実施形態では、図７及び図８に示すように、ノズル４０Ａが押圧調整部６０に代えて押圧調整部１００を備えてもよい。押圧調整部１００は、押圧調整部６０の誘導天部６２に代えて誘導天部１０１を備えている。
基準面Ｓによる断面において、誘導天部１０１の貫通孔６１ｃ側の面１０１ａは、貫通孔６１ｃとは反対側に向かって凸となる曲面状に形成されている。すなわち、先端側に向かって窪んでいる。
ノズル４０Ａをこのように構成することで、矢印Ｆ２のように貫通孔６１ｃを通って流れる収容物の向きを、矢印Ｆ６のように直交方向Ｙの他方側Ｙ２よりも基端側に変えることができる。これにより、収容物の勢いをより確実に抑えることができる。
【００３０】
本実施形態では、連結部６３の軸線Ｃに直交する平面による断面形状はＣ字状であるとした。しかし、連結部のこの断面形状はＣ字状に限られず、矩形の縁部のうちの一辺が開口となったコ字状等でもよい。
連結部をこのように構成しても、連結部内を流れる収容物が対向方向Ｘや直交方向Ｙの一方側Ｙ１に流れるのを防止することができる。
【００３１】
（第２実施形態）
次に、本発明の第２実施形態について図９から図１４を参照しながら説明するが、前記実施形態と同一の部位には同一の符号を付してその説明は省略し、異なる点についてのみ説明する。
図９から図１１に示すように、本実施形態のノズル付き容器２に用いられるノズル１１０は、第１実施形態のノズル４０の押圧調整部６０に代えて押圧調整部１２０を備えている。
押圧調整部１２０は、前述の当て板６１、貫通孔６１ｃから離間した位置に設けられた誘導天部１２２、及び、当て板６１と誘導天部１２２とにそれぞれ連なる連結部１２３を有している。
【００３２】
この例では、当て板６１の貫通孔６１ｃは軸線Ｃ方向に見たときに円形状である（図１２参照）。当て板６１には第一の壁部６６は設けられているが、第二の壁部６７は設けられていない。
誘導天部１２２は、軸線Ｃに直交する主面１２２ａを有する円板状に形成されて、貫通孔６１ｃの整流調整部５０とは反対側に設けられている。誘導天部１２２の縁部には、軸線Ｃ方向に貫通する切欠き１２２ｂが形成されている。
連結部１２３は、円筒状に形成され、当て板６１の貫通孔６１ｃの縁部と誘導天部６２の縁部とにそれぞれ連なっている。連結部１２３には、外周面から内周面まで貫通する切欠き１２３ａが形成され、この切欠き１２３ａは誘導天部１２２の切欠き１２２ｂに連通している。
誘導天部１２２の切欠き１２２ｂ、及び連結部１２３の切欠き１２３ａは、軸線Ｃを挟むように一対ずつ形成されている。
図１２に示す軸線Ｃ方向に見たときに、誘導天部１２２は当て板６１の貫通孔６１ｃの全体を覆っている。
【００３３】
このように構成されたノズル付き容器２は、容器１０の注出具２０にノズル１１０を取付けたときに、図９に示すように連結部１２３における切欠き１２３ａが形成されていない部分の外周面が注出具２０の他方の端部２２の内周面に接触する。このとき、誘導天部１２２の切欠き１２２ｂは注出具本体２３の筒孔に連通している。
【００３４】
このように構成されたノズル付き容器２を使用するときには、図１３に示すように収容物が矢印Ｆ１１、Ｆ１２に示すように先端側に向かって流れる。
矢印Ｆ１２のように軸線Ｃ近傍を流れる収容物は、誘導天部１２２に当たるため先端側に向かって流れることが規制される。
矢印Ｆ１１のように軸線Ｃから離れ注出具２０の壁部近くを先端側に流れる収容物は、誘導天部１２２の切欠き１２２ｂ及び連結部１２３の切欠き１２３ａを通り当て板６１の他方の面６１ｂに当たる。他方の面６１ｂに当たった収容物は、矢印Ｆ１３のように軸線Ｃ側に約９０°向きを変えて流れる。矢印Ｆ１３のように流れた収容物は押圧調整部１２０内で衝突して向きを変え、先端側に向かって矢印Ｆ１４のように螺線状に流れる。そして、整流調整部５０の第二の端部５２側の開口から流れ出る。
【００３５】
以上説明したように、本実施形態のノズル１１０及びノズル付き容器２によれば、注出具２０から収容物が勢いよく出るのを抑えることができる。
【００３６】
なお、本実施形態では、図１４に示すノズル１１０Ａのように、整流調整部５０Ａが第二の貫通孔５６ａが形成された縮径部５６を備えてもよい。この縮径部５６は当て板６１に対する誘導天部１２２及び連結部１２３のように構成された第二の誘導天部５６ｂ及び第二の連結部５６ｃを有している。すなわち、軸線Ｃ方向に見たときに、第二の誘導天部５６ｂは第二の貫通孔５６ａの全体を覆っている。
ノズル１１０Ａをこのように構成することで、当て板６１の貫通孔６１ｃ及び誘導天部１２２の構成を軸線Ｃ方向に二重に備え、注出具２０から収容物が勢いよく出るのをより確実に抑えることができる。
【００３７】
（第３実施形態）
次に、本発明の第３実施形態について図１５から図１９を参照しながら説明するが、前記実施形態と同一の部位には同一の符号を付してその説明は省略し、異なる点についてのみ説明する。
図１５から図１７に示すように、本実施形態のノズル付き容器３に用いられるノズル１３０は、第２実施形態のノズル１１０の押圧調整部１２０に代えて押圧調整部１４０を備えている。押圧調整部１４０は、押圧調整部１２０の各構成に加えて、軸線Ｃ方向に延びるように形成され、貫通孔６１ｃの縁部から離間した状態で貫通孔６１ｃを挿通するとともに誘導天部１２２に連なる軸状部１４１を有している。この例では、軸状部１４１は円筒状に形成されている。
図１８に示す軸線Ｃ方向に見たときに、誘導天部１２２は当て板６１の貫通孔６１ｃの全体を覆っている。
【００３８】
このように構成されたノズル付き容器３を使用するときには、図１９に示すように収容物が矢印Ｆ１６、Ｆ１７に示すように先端側に向かって流れる。
矢印Ｆ１７のように軸線Ｃ近傍を流れる収容物は、誘導天部１２２に当たるため先端側に向かって流れることが規制される。
矢印Ｆ１６のように軸線Ｃから離れ注出具２０の壁部近くを先端側に流れる収容物は、誘導天部１２２の切欠き１２２ｂ及び連結部１２３の切欠き１２３ａを通り当て板６１の他方の面６１ｂに当たる。他方の面６１ｂに当たった収容物は、矢印Ｆ１８のように軸線Ｃ側に約９０°向きを変えて流れる。矢印Ｆ１８のように流れた収容物は軸状部１４１の外周面に当たって向きを変え、軸状部１４１の外周面に沿って先端側に向かって矢印Ｆ１９のように螺線状に流れる。そして、整流調整部５０の第二の端部５２側の開口から流れ出る。
【００３９】
以上説明したように、本実施形態のノズル１３０及びノズル付き容器３によれば、注出具２０から収容物が勢いよく出るのを抑えることができる。
ノズル１３０が軸状部１４１を有するため、軸線Ｃ周りに矢印Ｆ１９のように螺線状に流れる収容物の流れを安定させることができる。
なお、本実施形態では、軸状部１４１は円筒状に形成されているとしたが、軸状部１４１の形状はこれに限られず、円柱状でも、角柱状等でもよい。
【００４０】
（第４実施形態）
次に、本発明の第４実施形態について図２０から図２４を参照しながら説明するが、前記実施形態と同一の部位には同一の符号を付してその説明は省略し、異なる点についてのみ説明する。
図２０から図２２に示すように、本実施形態のノズル付き容器４に用いられるノズル１５０は、第１実施形態のノズル４０の押圧調整部６０に代えて押圧調整部１６０を備えている。押圧調整部１６０は、前述の当て板６１、貫通孔６１ｃから離間した位置に設けられた誘導天部１６１、及び、誘導天部１６１の整流調整部５０側、すなわち先端側に設けられた抵抗増大部１６２を有している。
【００４１】
この例では、当て板６１の貫通孔６１ｃは軸線Ｃ方向に見たときに円形状である。
誘導天部１６１は、円板状に形成されて貫通孔６１ｃの整流調整部５０側に設けられている。誘導天部１６１の縁部は、筒孔５４の内周面に接触していない。
当て板６１の貫通孔６１ｃの縁部及び誘導天部１６１の縁部には、円筒状の連結部１６５がそれぞれ連なっている。連結部１６５には、外周面から内周面まで貫通する切欠き１６５ａが形成されている。
【００４２】
抵抗増大部１６２は、軸線Ｃ方向に互いに離間した状態に配置された複数の仕切り板１６６と、軸線Ｃ方向に隣り合う仕切り板１６６の縁部同士を接続する接続部材１６７とを有している。
それぞれの仕切り板１６６は、軸線Ｃに直交する方向に延びる円板状に形成されるとともに、軸線Ｃ方向に見たときに互いに重なるように配置されている。それぞれの接続部材１６７は、軸線Ｃに沿って延び、基端側から先端側に向かうにしたがって軸線Ｃを挟んで交互に位置をずらして配置されている。このように構成された抵抗増大部１６２は、全体として蛇行するように形成されている。
【００４３】
複数の仕切り板１６６のうち最も先端側のものの先端側の面には、軸線Ｃに直交する方向に延びる溝部１６６ａが形成されている。
複数の接続部材１６７のうち最も先端側のものの筒孔５４の内周面側の面には、軸線Ｃ方向に延びる溝部１６７ａが形成されている。溝部１６６ａの端部と溝部１６７ａの先端側とはつながっていて、溝部１６７ａ内から溝部１６６ａ内に収容物が流れることができる。
複数の仕切り板１６６及び複数の接続部材１６７のうち、最も先端側の仕切り板１６６と最も先端側の接続部材１６７のみが、筒孔５４の内周面に接触している。
【００４４】
図２０、２１、及び図２３に示すように、押圧調整部１６０は、当て板６１の基端側に円板状に形成された第二の誘導天部１６８と、円筒状に形成され第二の誘導天部１６８の縁部と当て板６１の他方の面６１ｂとに連なる第二の連結部１６９とをさらに有している。
第二の誘導天部１６８の軸線Ｃ上には、軸線Ｃ方向に貫通する透孔１６８ａが形成されている。第二の誘導天部１６８の縁部には、軸線Ｃ方向に貫通する切欠き１６８ｂが形成されている。
第二の連結部１６９には、外周面から内周面まで貫通する切欠き１６９ａが形成され、この切欠き１６９ａは第二の誘導天部の切欠き１６８ｂに連通している。
【００４５】
このように構成されたノズル付き容器４を使用するときには、図２４に示すように収容物が矢印Ｆ２１、Ｆ２２に示すように先端側に向かって流れる。
矢印Ｆ２１のように軸線Ｃから離れ注出具２０の壁部近くを先端側に流れる収容物は、第二の誘導天部１６８の切欠き１６８ｂ及び第二の連結部１６９の切欠き１６９ａを通って当て板６１に当たるため先端側に向かって流れることが規制される。この収容物は矢印Ｆ２３のように軸線Ｃ側に約９０°向きを変えて第二の連結部１６９の切欠き１６９ａを通して流れ、矢印Ｆ２２の流れに合流する。
【００４６】
矢印Ｆ２２のように軸線Ｃ近傍を流れる収容物は、第二の誘導天部１６８の透孔１６８ａ及び当て板６１の貫通孔６１ｃを通って誘導天部１６１に当たり、向きを変えて直交方向Ｙの他方側Ｙ２に矢印Ｆ２４のように流れる。収容物は筒孔５４の内周面に当たり、矢印Ｆ２５に示すように筒孔５４の内周面と抵抗増大部１６２との間を先端側に向かって流れる。収容物は先端側に向かって流れる間に、矢印Ｆ２６に示すように仕切り板１６６の間を流れることで、仕切り板１６６や接続部材１６７との間で抵抗を受けて流速が抑えられる。
収容物は、接続部材１６７の溝部１６７ａ及び仕切り板１６６の溝部１６６ａを通して矢印Ｆ２５に示すように先端側に向かって流れ、整流調整部５０の第二の端部５２側の開口から流れ出る。
【００４７】
以上説明したように、本実施形態のノズル１５０及びノズル付き容器４によれば、注出具２０から収容物が勢いよく出るのを抑えることができる。
ノズル１５０の押圧調整部１６０が抵抗増大部１６２を備えることで、収容物が流れる勢いをより確実に抑制することができる。
【００４８】
以上、本発明の第１実施形態から第４実施形態について図面を参照して詳述したが、具体的な構成はこの実施形態に限られるものではなく、本発明の要旨を逸脱しない範囲の構成の変更、組み合わせ、削除なども含まれる。さらに、各実施形態で示した構成のそれぞれを適宜組み合わせて利用できることは、言うまでもない。
例えば、前記第１実施形態から第４実施形態では、筒状は円筒状であるとしたが、これに限られない。本発明における筒状は、円筒状だけでなく、軸線に直交する断面が楕円形や多角形の縁部の形状のものも含む。
【００４９】
収容部３０はパウチと呼ばれる軟性のものであるとした。しかし、収容部はこれに限られず、チューブのような軟性のものでもよいし、ＰＥＴボトル等のような比較的硬性のものであってもよい。
収容物についても、ドレッシング以外にも、食品分野では調味料、トイレタリー分野では洗剤や柔軟剤等を用いることができる。
【符号の説明】
【００５０】
１、２、３、４  ノズル付き容器
２０  注出具
２１  一方の端部
２２  他方の端部
２２ａ  内周面
３０  収容部
４０、４０Ａ、１１０、１１０Ａ、１３０、１５０  ノズル
５０、５０Ａ  整流調整部
５４  筒孔
６０、１００、１２０、１４０、１６０  押圧調整部
６１  当て板
６１ａ  一方の面
６１ｂ  他方の面
６１ｃ  貫通孔
６２、１０１、１２２  誘導天部（庇部）
６２ａ、６８ａ、６９ａ、１０１ａ  面
６３  連結部
６８  連結対向部
６９  連結接続部
８０  係合部
１２２ａ  主面
１４１  軸状部
１６２  抵抗増大部
１６６  仕切り板
１６７  接続部材
Ｃ    軸線
Ｌ１、Ｌ２距離
Ｓ    基準面
Ｘ    対向方向
Ｙ    直交方向
【図１】
2015171897.tif 000003
【図２】
2015171897.tif 000004
【図３】
2015171897.tif 000005
【図４】
2015171897.tif 000006
【図５】
2015171897.tif 000007
【図６】
2015171897.tif 000008
【図７】
2015171897.tif 000009
【図８】
2015171897.tif 000010
【図９】
2015171897.tif 000011
【図１０】
2015171897.tif 000012
【図１１】
2015171897.tif 000013
【図１２】
2015171897.tif 000014
【図１３】
2015171897.tif 000015
【図１４】
2015171897.tif 000016
【図１５】
2015171897.tif 000017
【図１６】
2015171897.tif 000018
【図１７】
2015171897.tif 000019
【図１８】
2015171897.tif 000020
【図１９】
2015171897.tif 000021
【図２０】
2015171897.tif 000022
【図２１】
2015171897.tif 000023
【図２２】
2015171897.tif 000024
【図２３】
2015171897.tif 000025
【図２４】
2015171897.tif 000026